(57)【特許請求の範囲】
【請求項１】
第１のケースと、第２のケースと、前記第１、第２のケースとを開閉可能に接続するヒンジシートと、を備えたケースの開閉構造において、前記第１のケースと前記ヒンジシートとを固定した第１の固定部と、前記第２のケースと前記ヒンジシートとを固定した第２の固定部とを設け、前記第１のケースと前記第２のケースとを組み付けた時に、前記第１の固定部を前記第１、第２のケースの組み付け方向に対して前記第２の固定部より前記第２のケースに近接させ、前記第２の固定部を前記第１、第２のケースの組み付け方向に対して前記第１の固定部より前記第１のケースに近接させたことを特徴とするケースの開閉構造。
【請求項２】
前記第２のケースは、ベース部と、このベース部から突出形成した壁部とを備え、前記第１のケースと前記第２のケースとを組み付けた時に、前記第１の固定部が前記第２のケースの前記壁部の端部より前記ベース部側に位置することを特徴とする請求項１に記載のケースの開閉構造。
【発明の詳細な説明】
【技術分野】
【０００１】
本発明は、２つのケースを可撓性のシートで接続したケースの開閉構造に関するものである。
【背景技術】
【０００２】
従来のケースの開閉構造は、本体ケースに本体カバーがヒンジシートを介して開閉自在にヒンジ連結されているものであった（特許文献１を参照）。
【先行技術文献】
【特許文献】
【０００３】
【特許文献１】特開平１１−２０８４８号公報
【発明の概要】
【発明が解決しようとする課題】
【０００４】
従来のケースの開閉構造は、前記本体ケースと前記本体カバーとを閉じる時に、前記本体ケースと前記本体カバーとの間に前記ヒンジシートを挟みこんでしまうというおそれがあった。
【０００５】
そこで、本発明は、前述した問題点に着目し、ヒンジシートの挟みこみを防止することが可能なケースの開閉構造を提供するものである。
【課題を解決するための手段】
【０００６】
本発明は前記目的を達成するため、第１のケースと、第２のケースと、前記第１、第２のケースとを開閉可能に接続するヒンジシートと、を備えたケースの開閉構造において、前記第１のケースと前記ヒンジシートとを固定した第１の固定部と、前記第２のケースと前記ヒンジシートとを固定した第２の固定部とを設け、前記第１のケースと前記第２のケースとを組み付けた時に、前記第１の固定部を前記第１、第２のケースの組み付け方向に対して前記第２の固定部より前記第２のケースに近接させ、前記第２の固定部を前記第１、第２のケースの組み付け方向に対して前記第１の固定部より前記第１のケースに近接させたものである。
【０００７】
また、前記第２のケースは、ベース部と、このベース部から突出形成した壁部とを備え、前記第１のケースと前記第２のケースとを組み付けた時に、前記第１の固定部が前記第２のケースの前記壁部の端部より前記ベース部側に位置するものである。
【発明の効果】
【０００８】
本発明によれば、所期の目的を達成でき、ヒンジシートの挟みこみを防止することが可能なケースの開閉構造を提供することができる。
【図面の簡単な説明】
【０００９】
【図１】本発明の第１実施形態の正面図。
【図２】同実施形態のカバーを開けた状態の正面図。
【図３】図１中Ａ−Ａ線の断面図。
【図４】図２中Ｂ−Ｂ線の断面図。
【発明を実施するための形態】
【００１０】
本発明の第１実施形態を添付図面を用いて説明する。本実施形態のケースの開閉構造は、第１のケース１と、第２のケース２と、第１、第２のケース１、２とを開閉可能に接続する２つのヒンジシート３とを備えている。
【００１１】
本実施形態では、第１のケース１と第２のケース２とで、電子部品４、５を収納している。なお、電子部品４は、液晶表示素子や回路基板などを内蔵した液晶表示モジュールである。電子部品５は、回路基板である。電子部品４と電子部品５とは、可撓性を有するフレキシブルコード６によって電気的に接続されている。
【００１２】
第１のケース１は、合成樹脂からなり、矩形の平板形状のベース部１ａと、このベース部１ａから突出形成した壁部１ｂとを備えている。壁部１ｂは、ベース部１ａの周辺部にベース部１ａを取り囲むように形成されている。
【００１３】
ベース部１ａには、ヒンジシート３を固定するために、ボス部１ｃを４つ備えている。このボス部１ｃは、円柱形状をしている。その端部に固定具であるネジ７によって、ヒンジシート３が固定されている。このネジ７によって、固定された部分が、第１のケース１とヒンジシート３とを固定した第１の固定部８である。ボス部１ｃは、ボス部１ｃの根本（ベース部１ａ）からボス部１ｃの突出している方向に壁部１ｂより長く形成されているので、第１の固定部８は、壁部１ｂの端部１ｄより、ボス部１ｃの根本（ベース部１ａ）からボス部１ｃの突出している方向に離れた位置である。
【００１４】
第１のケース１には、電子部品５が図示しない手段によって固定されている。また、第１のケース１は、図示しない壁などに適宜手段によって固定されている。
【００１５】
第２のケース２は、合成樹脂からなり、矩形の平板形状のベース部２ａと、このベース部２ａから突出形成した壁部２ｂとを備えている。壁部２ｂは、ベース部２ａの周辺部にベース部２ａを取り囲むように形成されている。なお、ベース部２ａには、電子部品４である液晶表示モジュールの表示部が露出する窓部２ｃを備えている。
【００１６】
第２のケース２は、ヒンジシート３を第１のケース１のボス部１ｃではなく、電子部品４である液晶表示モジュールに固定している。ヒンジシート３は、電子部品４の第１のケース１の対向面４ａに固定具であるネジ９によって固定されている。このネジ９によって、固定された部分が、第２のケース２とヒンジシート３とを固定した第２の固定部１０である。電子部品４の対向面４ａは、壁部２ｂの端部２ｄに対して、ベース部２ａから電子部品４の厚み方向にほぼ同等あるいは、若干低く形成されている。そして、第２の固定部１０と壁部２ｂとの間には、空間部１１が設けられている。
【００１７】
ヒンジシート３は、可撓性を有する合成樹脂からなり、本実施形態では、フレキシブルコード６を挟むように２つ設けられている。各ヒンジシート３は、第１、第２のケース体１、２に固定するために、ネジ７、９が貫通する孔を備えている。
【００１８】
図３のように、第１のケース１と第２のケース２とを組み付けた状態では、第１の固定部８は、第１、第２のケース１、２の組み付け方向に対して第２の固定部１０より第２のケース２に近接している。この場合、第２のケース２のベース部２ａに近接している。また、第２の固定部１０は、第１、第２のケース１、２の組み付け方向に対して第１の固定部８より第１のケース１に近接している。この場合、第１のケース１のベース部１ａに近接している。
【００１９】
第１のケース１と第２のケース２とを組み付けるには、ヒンジシート３を固定したボス部８を第２のケース２の空間部１１内に差し入れながら、第１のケース１と第２のケース２とを組み付ける。なお、第１のケース１と第２のケース２との固定は、適宜手段によって固定されている。
【００２０】
ヒンジシート３は、図３で示すように、第１の固定部８で固定された部分から第２のケース２の壁部２ｂ側へ向くとともにベース部２ａ側に屈曲する。そして、第１のケース１のベース部１ａ側に向くとともに第２の固定部１０側に屈曲して、第２の固定部１０で固定される。ヒンジシート３は、逆Ｓの字状に屈曲される。
【００２１】
以上のように構成したことによって、ヒンジシート３は、折りたたまれ、第１、第２のケース１、２を閉じる時に、第１、第２のケース１、２の間にヒンジシート３を挟みこむことを防止することができる。
【００２２】
また、第１のケース１と第２のケース２とを組み付けた時に、第１の固定部８が、第２のケース２の壁部２ｂの端部２ｄよりベース部２ａ側に位置することによって、第１の固定部８が、第２のケース２の空間部１１内に位置することによって、さらに、第１、第２のケース１、２を閉じる時に、第１、第２のケース１、２の間にヒンジシート３を挟みこむことを防止することができる。
【００２３】
本実施形態では、ヒンジシート３の第２のケース２への固定は、電子部品４に固定していたが、第１のケース１と同様にボス部を設け、このボス部に固定してもよい。
【産業上の利用可能性】
【００２４】
本発明は、２つのケースを可撓性のシートで接続したケースの開閉構造に利用可能である。
【符号の説明】
【００２５】
１    第１のケース
２    第２のケース
２ａ  ベース部
２ｂ  壁部
２ｄ  端部
３    ヒンジシート
８    第１の固定部
１０    第２の固定部
【図１】
0005445850.tif 000002
【図２】
0005445850.tif 000003
【図３】
0005445850.tif 000004
【図４】
0005445850.tif 000005